(57)【要約】【課題】一定の測定力の下で測定できるノギスにおいて、スイッチ操作時に測定値が変化することが少なく、しかも、片手操作が可能なノギスを提供する。【解決手段】本尺１０、第１スライダ２０、変位検出手段３０、デジタル表示手段を有するノギス。本尺に移動可能に設けられた第２スライダ６０と、第１，第２スライダ間に介装された第１弾性部材７０と、第２スライダが第１弾性部材の弾性変形によって測定方向へ移動したときに本尺に係合して第２スライダの移動をロックするロック機構８０と、第２スライダにスライド可能に設けられたスイッチ操作部材９１と、このスイッチ操作部材と第２スライダとの間に介装され第２弾性部材９２と、この第２弾性部材が弾性変形したときに接触しデジタル表示手段の表示値をホールドまたは変位検出手段の移動変位量を外部へ出力するためのスイッチ手段９３とを備える。【選択図】図２
2010038730.tif 000002
【特許請求の範囲】
【請求項１】
ジョウを有する本尺と、この本尺に移動可能に設けられ前記ジョウとともに被測定物に当接されるジョウを有する第１スライダと、この第１スライダの移動変位量を検出する変位検出手段と、この変位検出手段によって検出された前記第１スライダの移動変位量をデジタル表示するデジタル表示手段とを備えたノギスにおいて、
前記本尺に移動可能に設けられた第２スライダと、
前記第１スライダと前記第２スライダとの間に介装され前記第２スライダの移動を前記第１スライダに伝達するとともに、前記両ジョウが被測定物に当接した状態において、前記第２スライダに測定方向の力が作用したときに弾性変形して前記第２スライダの測定方向の移動を許容する第１弾性部材と、
前記第２スライダが前記第１弾性部材の弾性変形によって測定方向へ移動したときに前記本尺に係合して前記第２スライダの移動をロックするロック機構と、
前記第２スライダにその第２スライダの移動方向へスライド可能に設けられたスイッチ操作部材と、
このスイッチ操作部材と前記第２スライダとの間に介装され、前記ロック機構によって前記第２スライダの移動がロックされた状態において、前記スイッチ操作部材に測定方向の力が作用したときに弾性変形して前記スイッチ操作部材の測定方向の移動を許容する第２弾性部材と、
この第２弾性部材が弾性変形したときに互いに接触し、前記デジタル表示手段の表示値をホールドまたは前記変位検出手段の移動変位量を外部へ出力するためのスイッチ手段とを備えたことを特徴とするノギス。
【請求項２】
請求項１に記載のノギスにおいて、
前記第１スライダには、前記変位検出手段に出力ケーブルを接続するための出力端子が設けられ、
前記スイッチ手段が作動したときに、前記出力端子に出力ケーブルが接続されているか否かを判定し、前記出力端子に出力ケーブルが接続されているときに前記変位検出手段の移動変位量を出力ケーブルを通じて外部へ出力するとともに、前記出力端子に出力ケーブルが接続されていないときに前記デジタル表示手段の表示値をホールドする制御手段を備える、ことを特徴とするノギス。
【請求項３】
請求項１に記載のノギスにおいて、
前記第１スライダには、前記変位検出手段に出力ケーブルを接続するための出力端子が設けられ、
前記スイッチ手段が作動したときに、前記出力端子に出力ケーブルが接続されているか否かを判定し、前記出力端子に出力ケーブルが接続されているときに前記変位検出手段の移動変位量を出力ケーブルを通じて外部へ出力し、かつ、前記デジタル表示手段の表示値をホールドするとともに、前記出力端子に出力ケーブルが接続されていないときに前記デジタル表示手段の表示値をホールドする制御手段を備える、ことを特徴とするノギス。
【請求項４】
請求項１〜請求項３のいずれかに記載のノギスにおいて、
前記第１弾性部材のばね定数よりも前記第２弾性部材のばね定数が大きくなるように、前記第１弾性部材および前記第２弾性部材が選定されている、ことを特徴とするノギス。
【請求項５】
請求項１〜請求項４のいずれかに記載のノギスにおいて、
前記ロック機構は、前記第２スライダが前記第１弾性部材の弾性変形によって測定方向へ移動したときに変位され前記本尺のスライダ摺動基準面を除く部分に係合して前記第２スライダの移動をロックするロック片を有する、ことを特徴とするノギス。
【請求項６】
請求項５に記載のノギスにおいて、
前記ロック片は、前記第２スライダが前記第１弾性部材の弾性変形によって測定方向へ移動したときに回動され前記本尺の幅方向略中央位置に前記本尺の長手方向に沿って形成された溝に係合する係合突起を備える、ことを特徴とするノギス。
【発明の詳細な説明】
【技術分野】
【０００１】
本発明は、ノギスに関する。詳しくは、一定の測定力の下で測定値を出力可能または読み取り可能なノギスに関する。
【背景技術】
【０００２】
ノギスによって被測定物の寸法などを測定する場合、測定者は、片手でノギスの本尺を握り、かつ、その手の親指でスライダを本尺に沿って移動させながら、本尺側のジョウとスライダ側のジョウとを被測定物の測定部位間に当接させ、この状態で目盛（目盛読取式ノギス）や表示値（デジタル表示式ノギス）を読み取る。この際、両ジョウを被測定物の測定部位間に当接させる力（測定力）は、測定者によって異なるため、その測定力の相違によって読み取り値が異なる、つまり、個人差が生じやすいという欠点がある。
【０００３】
そこで、このような測定者による測定力のばらつきを少なくしたノギスとして、特許文献１に開示された定圧機構を備えたノギスが知られている。
これは、ジョウを有する本尺と、この本尺に移動可能に設けられ前記ジョウとともに被測定物に当接されるジョウを有する第１スライダと、本尺に移動可能に設けられた第２スライダと、第１スライダと第２スライダとの間に介装され第２スライダの移動を第１スライダに伝達するとともに、両ジョウが被測定物に当接した状態において、第２スライダに測定方向の力が作用したときに弾性変形して第２スライダの測定方向の移動を許容する弾性部材と、第２スライダが弾性部材の弾性変形によって測定方向へ移動したときに変位され本尺に係合して第２スライダの移動をロックするロック片を有するロック機構とを備える。
【０００４】
測定に際して、第２スライダを本尺に沿って測定方向、たとえば、外側測定の場合、ジョウが狭まる方向へ移動させていくと、第１スライダも本尺に沿って同方向へ移動されていき、やがて、第１スライダのジョウと本尺のジョウとで被測定物を挟む。
この状態において、第２スライダをさらに同方向へ移動させようとすると、第１スライダはそれ以上移動することができないから、弾性部材が弾性変形され、第２スライダが測定方向、つまり、第１スライダに接近する方向へ移動される。すると、ロック機構のロック片が変位され、本尺に係合して第２スライダの移動がロックされる。この状態では、それ以上の力が第２スライダから第１スライダに伝わらないから一定の測定力の下で、目盛や表示値の読み取りができる。従って、個人差なく測定を行える。
【０００５】
【特許文献１】特開２０００−１５５００１号公報
【発明の開示】
【発明が解決しようとする課題】
【０００６】
ところで、上述した定圧機構を備えたノギスにおいて、測定値をデジタル表示するデジタル表示式ノギスの場合、表示値（測定値）を外部へ出力するための出力スイッチボタンや、表示値（測定値）をホールドするためのホールドスイッチボタンがスライダに設けられている。
表示値（測定値）を外部へ出力したり、表示値（測定値）をホールドするために、出力スイッチボタンやホールドスイッチボタンを押すと、そのスイッチボタンを押す力がスライダに作用するため、表示値、つまり、測定値が変化しやすい。また、これらのスイッチに対して、スライダを操作している手が離れているため、片手でスイッチ操作ができない。つまり、スライダを操作している片手で、スイッチを押すことが困難であるという欠点があった。
【０００７】
本発明の目的は、一定の測定力の下で測定できるノギスにおいて、スイッチ操作時に測定値が変化することが少なく、しかも、片手操作が可能なノギスを提供することにある。
【課題を解決するための手段】
【０００８】
本発明のノギスは、ジョウを有する本尺と、この本尺に移動可能に設けられ前記ジョウとともに被測定物に当接されるジョウを有する第１スライダと、この第１スライダの移動変位量を検出する変位検出手段と、この変位検出手段によって検出された前記第１スライダの移動変位量をデジタル表示するデジタル表示手段とを備えたノギスにおいて、前記本尺に移動可能に設けられた第２スライダと、前記第１スライダと前記第２スライダとの間に介装され前記第２スライダの移動を前記第１スライダに伝達するとともに、前記両ジョウが被測定物に当接した状態において、前記第２スライダに測定方向の力が作用したときに弾性変形して前記第２スライダの測定方向の移動を許容する第１弾性部材と、前記第２スライダが前記第１弾性部材の弾性変形によって測定方向へ移動したときに前記本尺に係合して前記第２スライダの移動をロックするロック機構と、前記第２スライダにその第２スライダの移動方向へスライド可能に設けられたスイッチ操作部材と、このスイッチ操作部材と前記第２スライダとの間に介装され、前記ロック機構によって前記第２スライダの移動がロックされた状態において、前記スイッチ操作部材に測定方向の力が作用したときに弾性変形して前記スイッチ操作部材の測定方向の移動を許容する第２弾性部材と、この第２弾性部材が弾性変形したときに互いに接触し、前記デジタル表示手段の表示値をホールドまたは前記変位検出手段の移動変位量を外部へ出力するためのスイッチ手段とを備えたことを特徴とする。
ここで、測定方向とは、外側測定の場合には本尺のジョウと第１スライダのジョウとが接近する方向、また、内側測定の場合には本尺のジョウと第１スライダのジョウとが離間する方向をいう。
【０００９】
このような構成によれば、測定に際して、スイッチ操作部材または第２スライダを操作して、第２スライダを本尺に沿って測定方向、たとえば、外側測定の場合、ジョウが狭まる方向へ移動させていくと、第１スライダも本尺に沿って同方向へ移動されていき、やがて、第１スライダのジョウと本尺のジョウとで被測定物を挟む。
こののち、スイッチ操作部材または第２スライダを操作しながら、第２スライダをさらに同方向へ移動させようとすると、第１スライダはそれ以上移動することができないから、第１弾性部材が弾性変形され、第２スライダが測定方向、つまり、第１スライダに接近する方向へ移動される。すると、ロック機構が本尺に係合して第２スライダの移動がロックされる。
【００１０】
この状態において、スイッチ操作部材をさらに同方向へ押すと、第２スライダもロック機構によってそれ以上移動することができないから、第２弾性部材が弾性変形され、スイッチ操作部材が測定方向へスライドされる。すると、スイッチ手段が互いに接触し、デジタル表示手段の表示値がホールド、あるいは、変位検出手段の移動変位量が外部へ出力される。
従って、スイッチ操作部材がスライドしてスイッチ手段が作動するときには、第２スライダの移動がロックされ、第１スライダにスイッチ操作部材を操作する力が伝わらないから、スイッチ操作時に測定値が変化することが少ない。しかも、スイッチ操作部材を操作するのみで、測定や表示値のホールド、または、外部出力が行えるから、片手操作が可能なノギスを得ることができる。
【００１１】
本発明のノギスにおいて、前記第１スライダには、前記変位検出手段に出力ケーブルを接続するための出力端子が設けられ、前記スイッチ手段が作動したときに、前記出力端子に出力ケーブルが接続されているか否かを判定し、前記出力端子に出力ケーブルが接続されているときに前記変位検出手段の移動変位量を出力ケーブルを通じて外部へ出力するとともに、前記出力端子に出力ケーブルが接続されていないときに前記デジタル表示手段の表示値をホールドする制御手段を備える、ことが好ましい。
このような構成によれば、スイッチ手段が作動したときに、出力端子に出力ケーブルが接続されているか否かが判定され、出力端子に出力ケーブルが接続されているときには変位検出手段の移動変位量が出力ケーブルを通じて外部へ出力され、また、出力端子に出力ケーブルが接続されていないときにはデジタル表示手段の表示値がホールドされる。従って、出力端子に出力ケーブルが接続されているか否かによって、移動変位量（測定値）の外部出力と、表示値のホールドとを自動的に切り替えることができるため、測定者の手間を省ける。
【００１２】
また、上記構成において、前記出力端子に出力ケーブルが接続されているときに前記変位検出手段の移動変位量を出力ケーブルを通じて外部へ出力し、かつ、前記デジタル表示手段の表示値をホールドするとともに、前記出力端子に出力ケーブルが接続されていないときに前記デジタル表示手段の表示値をホールドする制御手段を備える構成とすれば、出力端子に出力ケーブルが接続されているときには、測定値の外部出力だけでなく、表示値（測定値）もホールドされるため、測定者が手元で測定値を確認しやすい。
【００１３】
本発明のノギスにおいて、前記第１弾性部材のばね定数よりも前記第２弾性部材のばね定数が大きくなるように、前記第１弾性部材および前記第２弾性部材が選定されている、ことが好ましい。
このような構成によれば、第１弾性部材のばね定数よりも第２弾性部材のばね定数が大きくなるように、第１弾性部材および第２弾性部材が選定されているから、第２スライダを移動させた際、両ジョウが被測定物に当接した時点では、第１弾性部材が弾性変形し、ロック機構によって第２スライダの移動がロックされた後に、第２弾性部材が弾性変形する。そのため、第２弾性部材の力が第１スライダに伝わらないから、測定力の変動が生じにくく、高精度な測定が期待できる。
【００１４】
本発明のノギスにおいて、前記ロック機構は、前記第２スライダが前記第１弾性部材の弾性変形によって測定方向へ移動したときに変位され前記本尺のスライダ摺動基準面を除く部分に係合して前記第２スライダの移動をロックするロック片を有する、ことが好ましい。
このような構成によれば、ロック片は第２スライダの移動をロックする構造であるから、第１スライダが本尺のスライダ摺動基準面から浮くこともなく、また、ロック片は本尺のスライダ摺動基準面を除く部分に係合され、スライダが移動する本尺のスライダ摺動基準面を傷つけることもないから、スライダの円滑な摺動を確保しつつ、高精度な測定を保証できる。
【００１５】
本発明のノギスにおいて、前記ロック片は、前記第２スライダが第１弾性部材の弾性変形によって測定方向へ移動したときに回動され前記本尺の幅方向略中央位置に前記本尺の長手方向に沿って形成された溝に係合する係合突起を備える、ことが好ましい。
このような構成であれば、本尺の長手方向に沿って形成された溝を利用して第２スライダをロックできる。とくに、溝を通常のノギスが備えているデプスバー収納溝を利用すれば、従来の本尺の構成を変えることなく、簡易に構成できる。
【発明を実施するための最良の形態】
【００１６】
以下、本発明の実施の形態を図面に基づいて説明する。
＜構成の説明＞
図１は本発明の実施形態に係るノギスを示す正面図、図２は同ノギスの背面図、図３はその要部を示す斜視図である。
【００１７】
これらの図に示すように、本実施形態のノギスは、本尺１０と、この本尺１０に移動可能に設けられた第１スライダ２０と、この第１スライダ２０の移動変位量を検出する変位検出手段３０と、この変位検出手段３０によって検出された第１スライダ２０の移動変位量をデジタル表示するデジタル表示手段４０と、本尺１０に移動可能に設けられるとともに第１スライダ２０に連結された定圧機構５０と、この定圧機構５０に設けられたスイッチ機構９０とを備える。
【００１８】
本尺１０には、その基端側上下面に内側測定用ジョウ１１および外側測定用ジョウ１２が設けられているとともに、裏面側において、幅方向略中央にデプスバー収納溝１３が長手方向に沿って形成されている。なお、本実施形態のノギスでは、本尺１０の下面（外側測定用ジョウ１２が設けられた面）がスライダ摺動基準面１４に形成されている。また、デプスバー収納溝１３に収納されるデプスバーが設けられていない。
【００１９】
第１スライダ２０には、その上下面に本尺１０の内側測定用ジョウ１１および外側測定用ジョウ１２とともに被測定物に当接される内側測定用ジョウ２１および外側測定用ジョウ２２が設けられている。第１スライダ２０の上面には、第１スライダ２０を本尺１０に固定するためのクランプねじ２３と出力端子２４とがそれぞれ設けられている。出力端子２４には、変位検出手段３０に接続され、その変位検出手段３０で検出された移動変位量を外部機器（例えば、プリンタなど）へ出力するための出力ケーブル２５が着脱可能に装着されている。第１スライダ２０の下面には、凹部２６が形成されている。
【００２０】
変位検出手段３０は、本尺１０の長手方向に沿って設けられた電磁誘導式のスケール３１と、第１スライダ２０に設けられスケール３１と協働して第１スライダ２０のスケール３１に対する移動変位量を検出する検出ヘッド３２とを備えて構成されている。なお、変位検出手段３０としては、電磁誘導式に限らず、静電容量式や光電式などでもよい。
デジタル表示手段４０は、７セグメント表示素子を複数桁並設した液晶表示板によって構成され、第１スライダ２０の正面に配置されている。
【００２１】
定圧機構５０は、第１スライダ２０に隣接して本尺１０に移動可能に設けられた第２スライダ６０と、この第２スライダ６０と第１スライダ２０との間に介装された第１弾性部材７０と、第２スライダ２０が第１弾性部材７０の弾性変形によって測定方向へ移動したときに本尺１０に係合して第２スライダ２０の移動をロックするロック機構８０とを備えて構成されている。
【００２２】
第２スライダ６０は、本尺１０を幅方向から挟む大きさで、下部の第１スライダ２０側に第１指掛部６１が、これとは反対側に第２指掛部６２がそれぞれ形成されている。また、これらの第１指掛部６１および第２指掛部６２よりも上方位置には、スイッチ収納溝６３とロック片収納凹部６４とがそれぞれ形成されているとともに、第１スライダ２０の凹部２６に係合する係合片６５が一体的に延設されている。
【００２３】
第１弾性部材７０は、第２スライダ６０の移動を第１スライダ２０に伝達するとともに、本尺１０および第１スライダ２０のジョウ１１，２１、１２，２２が被測定物に当接した状態において、第２スライダ２０に測定方向の力が作用したときに弾性変形して第２スライダ２０の測定方向の移動を許容するもので、コイルばねによって構成されている。なお、第１弾性部材７０の配置位置は、第１スライダ２０と第２スライダ６０との間であればいずれでもよいが、本尺１０に近接した位置が好ましい。
【００２４】
ロック機構８０は、一端が第１スライダ２０に固定された支点バー８１と、第２スライダ６０の内部に収納されかつ支点バー８１の他端に回動可能に支持されたロック片８２と、このロック片８２の上端を第２スライダ６０に支持する線ばね８３とを備える。ロック片８２には、その下端に第２スライダ６０のロック片収納凹部６４に収納される係合部８２Ａが形成されているとともに、中央部に四角形状の係合突起８２Ｂが形成されている。係合突起８２Ｂは、ロック片８２が垂直状態のときはデプスバー収納溝１３に対して隙間をもって摺動可能であるが、ロック片８２が回動したときにはデプスバー収納溝１３に係合するようになっている。
【００２５】
スイッチ機構９０は、第２スライダ６０のスイッチ収納溝６３内に第２スライダ６０の移動方向へスライド可能に設けられたスイッチ操作部材９１と、このスイッチ操作部材９１と第２スライダ６０との間に介装されロック機構８０によって第２スライダ６０の移動がロックされた状態において、スイッチ操作部材９１に測定方向の力が作用したときに弾性変形してスイッチ操作部材９１の測定方向の移動を許容する第２弾性部材９２と、この第２弾性部材９２が弾性変形したときに互いに接触するスイッチ手段９３とから構成されている。スイッチ手段９３は、第２スライダ６０のスイッチ収納溝６３の内底部に設けられた端子９３Ａと、これに対向しスイッチ操作部材９１に設けられた端子９３Ｂとから構成されている。端子９３Ａ，９３Ｂが接触すると、デジタル表示手段４０の表示値がホールドまたは変位検出手段３０の移動変位量が外部へ出力される。
【００２６】
図４は、制御手段を構成する制御装置およびその周辺の構成を示している。制御装置１００には、変位検出手段３０、デジタル表示手段４０、出力端子２４およびスイッチ手段９３が接続されている。
制御装置１００は、変位検出手段３０で検出された第１スライダ２０の移動変位量をデジタル表示手段４０にデジタル表示させるとともに、スイッチ手段９３が作動したとき、出力端子２４に出力ケーブル２５が接続されているか否かを判定し、出力端子２４に出力ケーブル２５が接続されているときに変位検出手段３０の移動変位量を出力ケーブル２５を通じて外部へ出力するとともに、出力端子２４に出力ケーブル２５が接続されていないときにデジタル表示手段４０の表示値をホールドする。
【００２７】
＜作用の説明＞
このような構成において、測定（外側測定）に際して、スイッチ操作部材９１または第２スライダ６０を操作して、第２スライダ６０を本尺１０に沿ってかつジョウ１２，２２が狭まる方向（図２中右方向）へ移動させていくと、第１スライダ２０も本尺１０に沿って同方向へ移動されていき、やがて、第１スライダ２０のジョウ２２と本尺１０のジョウ１２とで被測定物を挟む。
この状態において、第２スライダ６０をさらに同方向へ移動させようとすると、第１スライダ２０はそれ以上移動することができないから、第１弾性部材７０が圧縮されるとともに、第２スライダ６０が第１スライダ２０に接近する方向へ移動される（図５参照）。すると、第１スライダ２０に支点バー８１を介して支持されたロック片８２が回動され、そのロック片８２に形成された係合突起８２Ｂがデプスバー収納溝１３に係合する。
【００２８】
つまり、図６（Ａ）の状態（第１スライダ２０のジョウ２２と本尺１０のジョウ１２とで被測定物を挟んだ状態において、第２スライダ６０をさらに同方向へ移動させようとすると、図６（Ｂ）に示すように、第１弾性部材７０が圧縮されるとともに、第２スライダ６０が第１スライダ２０に接近する方向へ移動される。すると、第１スライダ２０に支点バー８１を介して支持されたロック片８２が回動され、そのロック片８２に形成された係合突起８２Ｂがデプスバー収納溝１３に係合する。
すると、第２スライダ６０の移動がロックされ、それ以上の力が第２スライダ６０から第１スライダ２０へ伝達されないから、デジタル表示手段４０の表示値が変動しずらい。
【００２９】
この状態において、スイッチ操作部材９１をさらに同方向へ押すと、第２スライダ６０もロック機構８０によってそれ以上移動することができないから、第２弾性部材９２が弾性変形され、スイッチ操作部材９１が測定方向へスライドされる（図７参照）。すると、スイッチ手段９３が互いに接触する。
スイッチ手段９３が作動すると、制御装置１００は、出力端子２４に出力ケーブル２５が接続されているか否かを判定し、出力端子２４に出力ケーブル２５が接続されているときに変位検出手段３０の移動変位量を出力ケーブル２５を通じて外部へ出力するとともに、出力端子２４に出力ケーブル２５が接続されていないときにデジタル表示手段４０の表示値をホールドする。
【００３０】
＜実施形態の効果＞
（１）外側測定用ジョウ１２，２２間に被測定物を挟んだ状態において、第２スライダ６０に測定方向の力を作用すると、第１弾性部材７０が圧縮されるとともに、第２スライダ６０が第１スライダ２０に接近する方向へ移動し、その結果、ロック片８２が回動され、そのロック片８２に形成された係合突起８２Ｂがデプスバー収納溝１３に係合し、それ以上の力が第２スライダ６０から第１スライダ２０へ伝達されないから、一定の測定力の下で読み取りできる。つまり、個人差なく測定を行える。
【００３１】
（２）この状態から、スイッチ操作部材９１をさらに同方向へ押すと、第２スライダ６０もロック機構８０によってそれ以上移動することができないから、第２弾性部材９２が弾性変形され、スイッチ操作部材９１が測定方向へスライドされ、スイッチ手段９３が作動される。
スイッチ操作部材９１がスライドしてスイッチ手段９３が作動するときには、第２スライダ６０の移動がロックされ、第１スライダ２０にスイッチ操作部材９１を操作する力が伝わらないから、スイッチ操作時に測定値が変化することが少ない。従って、高精度な測定を保障できる。
しかも、スイッチ操作部材９１を操作するのみで、測定や表示値のホールド、または、外部出力が行えるから、片手操作が可能なノギスを得ることができる。
【００３２】
（３）また、ロック片８２は第２スライダ６０の移動をロックする構造であるから、第１スライダ２０が本尺１０のスライダ摺動基準面１４から浮くこともない。しかも、ロック片８２は本尺１０のスライダ摺動基準面１４を除く部分に係合されるから、第１スライダ２０が移動する本尺１０のスライダ摺動基準面１４を傷つけることもなく、第１スライダ２０の円滑な摺動を長期に渡って確保しつつ、高精度な測定を保証できる。
【００３３】
（４）また、ロック片８２が係合する部分として、通常のノギスが備えているデプスバー収納溝１３を利用しているから、従来の本尺の構成を変えることなく、簡単に構成できる。
また、ロック機構８０は、第１スライダ２０に支点バー８１の一端を固定し、この支点バー８１の他端にロック片８２を回動可能に支持すればよいから、簡単に構成できる。
【００３４】
＜変形例＞
本発明は前述の実施形態に限定されるものではなく、本発明の目的を達成できる範囲での変形、改良等は本発明に含まれる。
前記実施形態では、被測定物の外側測定時に、定圧機構５０が作動して一定の測定圧の条件下で測定できる構造であったが、被測定物の内側測定時に、定圧機構５０が作動して一定の測定圧の条件下で測定することもできる。
【００３５】
例えば、本尺１０のジョウ１１，１２と第１スライダ２０との間に第２スライダ６０を移動可能に設け、この第２スライダ６０と第１スライダ２０との間に第１弾性部材７０を介装させる。また、第２スライダ６０の内側（本尺１０のジョウ１１，１２側）にスイッチ操作部材９１を第２スライダ６０の移動方向へスライド可能に設けるとともに、このスイッチ操作部材９１と第２スライダ６０との間に第２弾性部材９２とスイッチ手段９３とを設けるようにすれば、前記実施形態と同様な効果が期待できる。
【００３６】
前記実施形態では、第２スライダ６０の移動をロックする際、ロック片８２が回動して、そのロック片８２に形成された係合突起８２Ｂが本尺１０のデプスバー収納溝１３に係合する構造であったが、たとえば、デプスバーを備えないノギスにあっては、デプスバー収納溝が形成されていないため、新たに溝を形成し、この溝にロック片８２が係合する構造であってもよい。また、溝１３に限らず、ロック片８２が本尺１０の幅方向へスライドし、それによって本尺１０の幅方向上面に係合するようにしてもよい。
【００３７】
また、第１弾性部材７０および第２弾性部材９２としては、コイルばねに限らず、板ばねなどを利用してもよく、あるいは、ゴムやスポンジ状の材料を用いてもよい。
【００３８】
前記実施形態では、スイッチ手段９３が作動したときに、出力端子２４に出力ケーブル２５が接続されているか否かが判定され、出力端子２４に出力ケーブル２５が接続されているときには変位検出手段３０の移動変位量が出力ケーブル２５を通じて外部へ出力され、また、出力端子２４に出力ケーブル２５が接続されていないときにはデジタル表示手段４０の表示値がホールドされるように構成したが、これに限られない。たとえば、出力端子２４に出力ケーブル２５が接続されているときには、変位検出手段３０の移動変位量を出力ケーブル２５を通じて外部へ出力し、かつ、デジタル表示手段４０の表示値をホールドするとともに、出力端子２４に出力ケーブル２５が接続されていないときにデジタル表示手段４０の表示値をホールドする構成とすれば、出力端子２４に出力ケーブル２５が接続されているときには、測定値の外部出力だけでなく、表示値（測定値）もホールドされるため、測定者が手元で測定値を確認しやすい利点がある。
【産業上の利用可能性】
【００３９】
本発明は、一定の測定力の下で測定値を出力可能または読み取り可能なノギスに利用できる。
【図面の簡単な説明】
【００４０】
【図１】本発明の実施形態に係るノギスを示す正面図。
【図２】同上実施形態に係るノギスを示す背面図。
【図３】同上実施形態に係るノギスを背面から見た斜視図。
【図４】同上実施形態において、制御装置とその周辺の構成を示すブロック図。
【図５】同上実施形態において、定圧機構が作動したときの図。
【図６】図５の状態を模式的に示す図。
【図７】同上実施形態において、定圧機構作動後にスイッチが操作されたときの図。
【符号の説明】
【００４１】
１０…本尺、
１１，２１…内側測定用ジョウ、
１２，２２…外側測定用ジョウ、
１３…デプスバー収納溝、
１４…スライダ摺動基準面、
２０…第１スライダ、
２４…出力端子、
２５…出力ケーブル、
３０…変位検出手段、
４０…デジタル表示手段、
７０…第１弾性部材、
８０…ロック機構、
８２…ロック片、
８２Ｂ…係合突起、
９１…スイッチ操作部材、
９２…第２弾性部材、
９３…スイッチ手段、
１００…制御装置（制御手段）。
【図１】
2010038730.tif 000003
【図２】
2010038730.tif 000004
【図３】
2010038730.tif 000005
【図４】
2010038730.tif 000006
【図５】
2010038730.tif 000007
【図６】
2010038730.tif 000008
【図７】
2010038730.tif 000009